(57)【要約】【課題】殊にビデオ装置が２つの伝送媒体によって接続されており且つこの伝送媒体の伝送遅延が永続的に変化する可能性のある場合、ビデオ装置のタイムベースを同期するための高速な方法を提供する。【解決手段】位相差の量を表す第１のタイプの制御情報を第１のビデオ装置に伝送するステップと、第１のビデオ装置において、ビデオ信号の位相を第１のタイプの制御情報を表す位相角だけ変えるステップとによって解決される。【選択図】図１
2004343697.tif 000002
【特許請求の範囲】
【請求項１】
イメージ情報及び同期情報を包含するビデオ信号（ＣＶＳＣ）を伝送する第１のビデオ装置（１）のタイムベース（１２）と該ビデオ信号（ＣＶＳＣ）を受信する第２のビデオ装置（２）のタイムベース（２１）とを同期させる方法であって、
ａ）同期情報（ΦＩＣ、ΦＬＣ、；ΦＩＭ、ΦＬＭ；ＰＣＲＣ、ＰＣＲＭ）を前記第２のビデオ装置（２）によって受信された前記ビデオ信号（ＣＶＳＣ）及び前記第２のビデオ装置（２）のタイムベース（２１）から抽出するステップと、
ｂ）前記第２のビデオ装置（２）によって受信された前記ビデオ信号（ＣＶＳＣ）と前記第２のビデオ装置（２）の前記タイムベース（２１）との位相差（ΔΦＩ、ΔΦＬ）を前記抽出された同期情報（ΦＩＣ、ΦＬＣ、；ΦＩＭ、ΦＬＭ；ＰＣＲＣ、ＰＣＲＭ）に基づき求めるステップとを包含する方法において、
ｃ）前記位相差の量を表す第１のタイプの制御情報（ΔΦＩ）を前記第１のビデオ装置（１）に伝送するステップと、
ｄ）前記第１のビデオ装置（１）において、前記ビデオ信号（ＣＶＳＣ）の位相を前記第１のタイプの制御情報（ΔΦＩ）を表す位相角だけ変えるステップとを包含することを特徴とする方法。
【請求項２】
前記ステップａ）及びｂ）を周期的に繰り返す、請求項１記載の方法。
【請求項３】
前記第１のタイプの制御情報（ΔΦＩ）は所定数ｎ≧２のビットを有する２進データ語であり、
ｅ）該第１のタイプの制御情報（ΔΦＩ）及び第２のタイプの制御情報（ΔΦＬ、ΔＰＣＲ）を、該第１のタイプの制御情報（ΔΦＩ）及び該第２のタイプの制御情報（ΔΦＬ、ΔＰＣＲ）によって表される位相差の和が前記ステップｂ）において求められた位相差であるように決定するステップと、
ｆ）前記第２のタイプの制御情報（ΔΦＬ、ΔＰＣＲ）を前記第１のビデオ装置（１）にも伝送するステップと、
ｇ）前記第２のタイプの制御情報（ΔΦＬ、ΔＰＣＲ）によって表される位相シフトを前記第１のビデオ装置（１）において前記ビデオ信号（ＣＶＳＣ）に適用するステップとを包含する、請求項１または２記載の方法。
【請求項４】
前記ステップｇ）を、前記第１のビデオ装置（１）の前記タイムベース（１２）のピクセルクロック信号（ＰＣＣ）の周波数を前記第２のタイプの制御情報（ΔΦＬ、ΔＰＣＲ）によって表される前記位相シフトの符号及び／又は振幅に応じて増大または低減することにより実施する、請求項３記載の方法。
【請求項５】
前記ステップｃ）及びｄ）を、前記第１のタイプの制御情報（ΔΦＩ）によって表される前記位相差が０ではない場合にのみ実施する、請求項１から４までのいずれか１項記載の方法。
【請求項６】
前記ステップｄ）を実施する時間を、前記ステップｂ）において求められた位相差に応じて、前記ステップｄ）の実施後に前記第１のビデオ装置（１）における前記ビデオ信号（ＣＶＳＣ）が所定の位相と見なされる選択する、請求項１から５までのいずれか１項記載の方法。
【請求項７】
前記所定の位相は前記ビデオ信号（ＣＶＳＣ）におけるイメージの開始である、請求項６記載の方法。
【請求項８】
前記ビデオ信号（ＣＶＳｃ）に包含されるイメージ情報を一連のイメージから形成し、各イメージは複数のラインを包含し、前記第１のタイプの制御情報（ΦＩＣ）は複数のラインを表し、該ラインだけ、前記第１のビデオ装置（１）から受信した前記ビデオ信号（ＣＶＳＣ）を前記第２のビデオ装置（２）のタイムベースに関連して位相シフトする、請求項１から７までのいずれか１項記載の方法。
【請求項９】
前記ビデオ信号（ＣＶＳＣ）を一連のデータパケットとしてディジタルの形態で伝送し、各データパケットはイメージデータを包含し、該データパケットのうちの幾つかのデータパケットは、前記第１のビデオ装置（１）のタイムベースから導出され、送信時間が包含されているデータパケットの該送信時間を表す送信時間データ（ＰＣＲＣ）を包含し、各送信時間データ（ＰＣＲＣ）を前記第２のビデオ装置（２）による受信に基づき、該第２のビデオ装置（２）のタイムベース（２１）から導出される受信時間データ（ＰＣＲＭ）と比較し、前記第２のタイプの制御情報（ΔＰＣＲ）を前記送信時間データ（ＰＣＲＣ）と前記受信時間データ（ＰＣＲＭ）との差から導出する、請求項１から８までのいずれか１項記載の方法。
【請求項１０】
前記第１のビデオ装置（１）は該第１のビデオ装置（１）の前記タイムベース（１２）から導出されるピクセル周波数（ＰＣＣ）に基づき動作する第１のカウンタ（５４）を包含し、前記第２のビデオ装置（２）は該第２のビデオ装置（２）の前記タイムベース（２１）から導出されるピクセル周波数（ＰＣＭ）に基づき動作する第２のカウンタ（６４）を包含し、前記第１のカウンタ（５４）のカウンタ値（ＰＣＲＣ）を送信時間データとしてデータパケットに包含させ、受信時間データとしての前記第２のカウンタ（６４）のカウンタ値（ＰＣＲＭ）と比較する、請求項９記載の方法。
【請求項１１】
前記第１のカウンタ（５４）のカウンタ値（ＰＣＲＣ）と前記第２のカウンタ（６４）のカウンタ値（ＰＣＲＭ）との差（ΔＰＣＲ）が所定の閾値を上回る場合には、前記第２のカウンタ（６４）を前記第１のカウンタ（５４）から受信した値（ＰＣＲＣ）にセットする、請求項１０記載の方法。
【請求項１２】
ビデオ信号（ＣＶＳＣ）を出力する出力ポート及び制御情報を入力する入力ポートを有するビデオ装置（１）において、
該ビデオ装置（１）のタイムベース（１２）は第１のタイプの制御情報（ΔΦＩ）によって規定される位相角だけ、前記出力ポートにおいて出力されるビデオ信号（ＣＶＳＣ）の位相を変えるために適合されることを特徴とするビデオ装置。
【請求項１３】
前記タイムベース（１２）はさらに、第２のタイプの制御情報（ΔΦＬ）に応じて前記ビデオ信号（ＣＶＳＣ）のピクセル周波数（ＰＣＣ）をセットするために適合される、請求項１２記載のビデオ装置。
【請求項１４】
ビデオ信号（ＣＶＳＣ）を入力する入力ポートと、入力される前記ビデオ信号（ＣＶＳＣ）とビデオ装置（２）のタイムベース（２１）との位相差を求める手段（２６）と、該位相差を量的に規定する制御情報（ΔΦＩ）を出力する出力ポートとを有することを特徴とするビデオ装置（２）。
【請求項１５】
ビデオ信号を処理する圧縮エンジンからの圧縮されたデータストリームを出力する出力ポートと、制御情報を入力する入力ポートと、前記ビデオ信号の位相、したがって前記出力ポートにおいて出力される前記圧縮データストリームを前記制御情報によって規定される位相角だけ変えるために適合されるタイムベースとを有することを特徴とする、ビデオ装置。
【請求項１６】
基準ピクセル周波数及び基準水平及び／又は垂直信号を受信するためにミキサによって要求されるビデオタイミングを表す基準入力及び圧縮エンジンピクセル周波数を有する圧縮データストリームを入力する入力ポートと、前記基準入力信号からピクセルクロックを得て、前記圧縮データストリームからビデオ信号を再構築する伸張エンジンと、前記基準ピクセル周波数と前記圧縮エンジンピクセル周波数との間の周波数誤り及び前記出力ビデオ信号と基準水平及び／又は垂直信号との間の位相角を求める手段と、前記周波数誤りと前記位相角を量的に表す制御情報を出力する出力ポートとを有することを特徴とする、ビデオ装置。
【発明の詳細な説明】
【技術分野】
【０００１】
本発明は、イメージ情報及び同期情報を包含するビデオ信号を伝送する第１のビデオ装置のタイムベースとビデオ信号を受信する第２のビデオ装置のタイムベースとを同期させる方法及びビデオ装置に関する。
【背景技術】
【０００２】
ここではビデオ信号は、第１のビデオ装置によって生成され、またイメージ情報とこの第１のビデオ装置のタイムベースから導出される同期情報とを包含する本来のビデオ信号である（複合ビデオ信号）。択一的に、ビデオ信号は圧縮エンジンを介して、一般的にはイメージ形成クロックとは完全に非同期であるクロックレートでこの本来のビデオ信号から得られる圧縮されたビデオストリームである。この場合、本来のタイムベースから導出されたイメージ同期情報は失われてパケット同期が付加され、ビデオ信号の同期情報が供給される。
【０００３】
ビデオ信号は周期的な一連のイメージから形成される。各イメージは、整数の数のラインから形成される。各ラインは複数のポイントまたはピクセルを包含し、これらは時間通りに所定の周波数で区切られる。この周波数は発振器によって供給され、この発振器は通常は水晶発振器である。従来の専門的なビデオ機器では、発振器のピクセル周波数が２７ＭＨｚであるとすると、１ラインに対してＮｐ＝１７２８ポイントまたは１７２８ピクセルとなり、１つのイメージに対してＮｌ＝６２５ライン（２つのフレームに分割される）となる。
【０００４】
一般的に生放送番組の製作では、いわゆるミキサと接続された複数のカメラが必要である。このようなミキサの精巧さのレベルは異なる場合がある。ミキサの最も単純な種類はスイッチであり、このスイッチは種々のカメラのうち１つを選択し、このカメラのビデオ信号をミキサの出力に供給する。より精巧なミキサは２つのカメラからのイメージをスーパーインポーズして、連続的な遷移を形成するか、イメージの一方の特定領域が第１のカメラによって供給され、他方の領域が第２のカメラによって供給される組み合わされた出力信号を形成することができる。このようなミキサが作動するためには、ミキサの入力に存在する種々のカメラからのビデオ信号を完全に同期しなければならない。このような同期の意味するところは、種々のカメラのピクセル周波数が等しくなり、ミキサの入力においては種々のカメラからのイメージ間の位相差が存在しなくなるということである。
【０００５】
従来は、各カメラ及びミキサは固有のタイムベースを有していた。これらのタイムベースが相互に独立して動作する場合、タイムベースの精度のレベルがどれほど高くても、これらのタイムベースによって形成されるピクセル周波数は決して完全には等しくならない。種々のカメラからの信号間の位相差は、カメラとミキサとの間の伝送線の長さが異なることに起因する。
【０００６】
これらの問題に関わらず同期を実現するために２つのアプローチが展開された。第１のアプローチはいわゆるイメージ同期装置である。本質的にイメージ同期装置は、各カメラとミキサとの間の適合可能なバッファと見なされる。イメージデータは、このイメージデータがカメラによって生成されたレートでバッファに書き込まれる。このことはカメラのピクセル周波数を基礎としている。このイメージデータはミキサのピクセル周波数でバッファから読み出される。ミキサのピクセル周波数がカメラのピクセル周波数と正確に等しい場合、この同期装置は単なる遅延素子と見なされる。ミキサのピクセル周波数がカメラのピクセル周波数より高い場合、バッファに記憶されているフレームは、カメラによって上書きされる前にミキサによって２回読み出される可能性があり、またカメラのピクセル周波数がミキサのピクセル周波数より高い場合には、バッファ内のフレームはスキップされてしまう（ミキサによって全く読み出されずに上書きされてしまう）可能性がある。フレームが２回読み出されるレートまたはフレームがスキップされてしまうレートは、カメラの周波数とミキサの周波数との間の周波数差に依存する。イメージ同期装置は多様且つ簡単に制御できるが、予測外の遅延を惹起するという欠点を有する。この遅延は０から１イメージの間のどの値もとる可能性がある。このような遅延はプログラム内容を形成するためにビデオ信号及びオーディオ信号をミキシングする際に非常に厄介になる。いわゆる「リップシンク」作用（ビデオ信号より先行するオーディオ信号、またはビデオ信号より遅延するオーディオ信号）は、顕著であり且つ不所望の作用である。
【０００７】
このような問題はゲンロックによるアプローチを使用することによって回避される。このアプローチによれば、各カメラのピクセル周波数はミキサのピクセル周波数と厳密に等しくなるように制御され、各カメラのイメージ位相はミキサのイメージ位相より僅かに先行するように制御され、この先行がカメラとミキサとの間の伝送線の遅延に基づいて検出される。こうすることにより、カメラからのビデオ信号がミキサの入力に到達すると、このビデオ信号のイメージ位相がミキサのイメージ位相と厳密に等しくなる。
【０００８】
ビデオ装置の同期に対する共通のアプローチが以下に記載されている。イメージ情報と第１のビデオ装置のタイムベースから導出される同期情報とを包含する複合ビデオ信号を伝送する第１のビデオ装置と、前述の複合ビデオ信号を受信する第２のビデオ装置とを備えたビデオシステムでは、
ａ）同期情報が、第２のビデオ装置によって受信された複合ビデオ信号と、第２のビデオ装置のタイムベースとから抽出される。
ｂ）前述の第２のビデオ装置によって受信された複合ビデオ信号とこの第２ビデオ装置のタイムベースとの間の水平（Ｈ）位相差及びフレーム（Ｆ）位相差が、抽出された水平（Ｈ）同期情報及びフレーム（Ｆ）同期情報に基づいて求められる。
ｃ）水平位相差がアナログ領域において計算され、積分器へ供給され、制御電圧が形成される。この制御電圧は、ラインベースで第１のビデオ装置のクロック発生部へと送出され、この第１のビデオ装置の周波数を上昇（または低減）させるために使用され、水平位相差が相殺されるまでライン期間及びフレーム期間が短縮（または延長）される。この技術は位相同期ループ（ＰＬＬ）として周知である。
ｄ）フレーム位相差が以下のように処理される。このフレーム位相差の値に応じてリセットパルスが形成され、フレームベースまたはサブフレームベースで前述の第１のビデオ装置へと伝送され、この第１のビデオ装置の規則的な（セルフランニング）の周期のみを正確な時間に１回変更する。
【０００９】
一般的に、これら２種類の情報（周波数位相及び水平位相の制御のためのアナログ比例；フレーム制御のための垂直リセット）が組み合わされ、第１のビデオ装置へ送出される。
【００１０】
ここで強調すべきことは、制御情報を第１のビデオ装置へと伝送する伝送媒体は予測可能且つ再現可能な遅延を有していなければならないことである。そうしなければ、リセットパルスは早すぎるかまたは遅すぎてしまい、タイムベースシーケンスが不規則で永続的にエラー状態になる可能性がある。
【００１１】
ビデオカメラシステムの垂直リセット処理の別の特別な実施例が、ＤＥ  ４０  ３０  １４８  Ｃ２に記載されている。この公報では、カメラから受信した同期パルスとカメラ制御ユニットのローカルタイムベースによって形成された同期パルスとの間のフレーム位相差が計算される。このようなフレーム位相差が存在する場合には、リセットパルスがカメラへ送出され、このカメラが形成するイメージ信号の位相（したがって垂直（Ｖ）同期信号の位相）がシフトされる。このイメージ信号は１つのイメージラインと等価である。このプロセスはカメラからのＶ同期パルスとローカルタイムベースからのＶ同期パルスとが同相になったことを制御ユニットが発見するまで、１イメージ（すなわち１フレーム）あたり１回繰り返される。例えばＰＡＬ標準規格及びＳＥＣＡＭ標準規格による従来のビデオイメージにおけるラインの数は６２５であるから、この従来技術のシステムは、カメラのＶ同期パルス及び制御ユニットのＶ同期パルスを調整するために数秒を必要とする。さらにこのことは、リセットパルスの完全に予測可能な伝送遅延にも依存する。
【特許文献１】ＤＥ  ４０  ３０  １４８  Ｃ２
【発明の開示】
【発明が解決しようとする課題】
【００１２】
したがって本発明の課題は、殊にビデオ装置が２つの伝送媒体によって接続されており且つこの伝送媒体の伝送遅延が永続的に変化する可能性のある場合、ビデオ装置のタイムベースを同期するための高速な方法と、高速に同期するビデオ装置とを提供することである。
【課題を解決するための手段】
【００１３】
方法に関する課題は、この方法が位相差の量を表す第１のタイプの制御情報を第１のビデオ装置に伝送するステップと、第１のビデオ装置において、ビデオ信号の位相を第１のタイプの制御情報を表す位相角だけ変えるステップとを包含することによって解決される。装置に関する課題は、この装置がビデオ装置のタイムベースは第１のタイプの制御情報によって規定される位相角だけ、出力ポートにおいて出力されるビデオ信号の位相を変えるために適合されることによって解決される。また、ビデオ信号を入力する入力ポートと、入力されるビデオ信号とビデオ装置のタイムベースとの位相差を求める手段と、位相差を量的に規定する制御情報を出力する出力ポートとを有することによって解決される。またビデオ信号を処理する圧縮エンジンからの圧縮されたデータストリームを出力する出力ポートと、制御情報を入力する入力ポートと、ビデオ信号の位相、したがって出力ポートにおいて出力される圧縮データストリームを制御情報によって規定される位相角だけ変えるために適合されるタイムベースとを有することによって解決される。また、基準ピクセル周波数及び基準水平及び／又は垂直信号を受信するためにミキサによって要求されるビデオタイミングを表す基準入力及び圧縮エンジンピクセル周波数を有する圧縮データストリームを入力する入力ポートと、基準入力信号からピクセルクロックを得て、圧縮データストリームからビデオ信号を再構築する伸張エンジンと、基準ピクセル周波数と圧縮エンジンピクセル周波数との間の周波数誤り及び出力ビデオ信号と基準水平及び／又は垂直信号との間の位相角を求める手段と、周波数誤りと位相角を量的に表す制御情報を出力する出力ポートとを有することによって解決される。
【発明を実施するための最良の形態】
【００１４】
本発明では、イメージ情報及び同期情報を包含するビデオ信号を伝送する第１のビデオ装置と、このビデオ信号を受信する第２のビデオ装置とを含むビデオシステムにおいて使用するための、次のようなステップを包含する方法が提案される。すなわち、
ａ）第２のビデオ装置によって受信されたビデオ信号及びこの第２のビデオ装置のタイムベースから同期情報を抽出するステップ。
ｂ）前述の抽出された同期情報に基づき、第２のビデオ装置によって受信されたビデオ信号とこの第２のビデオ装置のタイムベースとの位相差を求めるステップ。
ｃ）前述の位相差の量を表す第１のタイプの制御情報を第１のビデオ装置に伝送するステップ。
ｄ）前述の第１のビデオ装置において、前述の第１のタイプの制御情報によって表される位相角だけビデオ信号の位相を変えるステップ。
【００１５】
ここでは、位相差が存在すること及び位相差が先行するか遅延するかが求められるだけでなく、位相差の量的な測定結果が形成されて第１のビデオ装置へと伝送される。こうすることにより第１のビデオ装置は位相を１回のステップで適合することができる。したがって、位相差を求めてそれを補正するためには１つのイメージ周期で十分になる。
【００１６】
一般的には、第１のビデオ装置及び／又は第２のビデオ装置がスイッチオンされたときに、本発明による方法を１回実施するだけで十分である。しかし有利には、少なくともステップａ）からｂ）が周期的に繰り返される。ステップｃ）及びｄ）も繰り返すことができるが、有利には、第１のタイプの制御情報によって表される位相差が０とは異なる場合のみ、すなわち補正すべき位相差が実際に存在する場合のみ実施される。このようにして、本方法を実施するために必要とされる第２のビデオ装置から第１のビデオ装置への伝送帯域幅は非常に小さくなる。
【００１７】
有利な実施形態によれば、制御情報は所定数のビットを有する２進データ語である。この所定数は少なくとも２である。
【００１８】
さらに本発明は有利には以下の付加的なステップを有する。すなわち、
ｅ）第１のタイプの制御情報及び第２のタイプの制御情報を、第１のタイプの制御情報及び第２のタイプの制御情報によって表される位相差の和が、ステップｂ）において求められた位相差であるように決定するステップ。
ｆ）第２のタイプの制御情報を前述の第１のビデオ装置にも伝送するステップ。
ｇ）前述の第２のタイプの制御情報によって表される位相シフトを、前述の第１のビデオ装置において複合ビデオ信号に適用するステップ。
【００１９】
第１のタイプの制御情報が有することのできるバイトの数を制限すれば、この情報を第１のビデオ装置へと伝送するために必要とされる時間は小さく抑えられる。この第１のタイプの制御情報は制限的な分解能しか有さないという事実は、さらに第２のタイプの制御情報を送出することによって補償されるので、第１のビデオ装置においてイメージ位相を良好に調整することができる。第２のタイプの制御情報によって表される位相シフトを複合ビデオ信号に適用するためのメカニズムを第１のタイプの制御情報に基づいて行われる急激な切り替えとは異なる構成にすることができる。有利には位相シフトは、前述の第２のタイプの制御情報によって表される位相シフトの符号に応じて、第１のビデオ装置のタイムベースのピクセル周波数を増大または低減することによって、前述のように良好に調整される。すなわち、第１のビデオ装置からのビデオ信号の位相が第２のビデオ装置のビデオ信号の位相より先行していることが発見された場合には、第１のビデオ装置のピクセル周波数は第２のタイプの制御情報に基づき、位相が一致したことが発見されるまで低減され、また第１のビデオ装置からのビデオ信号の位相が第２のビデオ装置のビデオ信号の位相に関して遅延する場合には、第１のビデオ装置のピクセル周波数は、位相が一致するまで増大される。
【００２０】
有利には、ステップｄ）を実施するための時間は、ステップｂ）において求められた位相差に応じて、ステップｄ）の実施後に第１のビデオ装置におけるビデオ信号が所定の位相、有利にはビデオ信号におけるイメージの開始と見なされるように選択される。このようにして、第２のビデオ装置によって受信されたイメージ情報の不連続性が阻止される。
【００２１】
本発明では以下の有利な特徴が提供される。
【００２２】
・Ｈ位相差はデジタル領域で計算され、選択的に非線形のステージを介して処理される。この目的は伝送すべきビットの数を低減することである。このような伝送規則により、小さな値を伝送すべき場合には、Ｈ位相差の全ての分解能が維持される。伝送すべき値が大きくなると、より多くを丸めることができる。何故ならば、このように丸めても、定常状態（０前後の小さな値）に影響が及ばないからである。それゆえ伝送されるデータは、「範囲」フィールド及び「データ」フィールドから構成されている。範囲フィールド（例えば３ビット）は、符号付きの値であるデータフィールドに適用すべき２のべき乗の係数を有する。
【００２３】
・カメラにおいて反転動作が実行され、近似的なＨ位相差がデジタルフィルタ（ＰＩ）に印加され、制御信号が得られる。この制御信号はアナログ領域のいて変換されるか、はダイレクト・ディジタル・シンセサイザ（Direct Digital Synthesizer）を制御する。いずれの場合においても、第１のビデオ装置のクロック形成によってこの第１のビデオ装置の周波数が増大（または低減）され、Ｈ位相差が相殺されるまでこのライン期間及びフレーム期間が短縮（または延長）される。この技術によって３つの利点が得られる。第１に、Ｈ位相差の伝送レートがアナログカウンタ部よりも格段に低減される。第２に、伝送ノイズから完全に保護される。最後に、伝送媒体はドロップアウトさえすることもできる。何故ならば、最後のディジタル制御信号が常に使用可能だからである。
【００２４】
・Ｆ（フレーム）位相差も非古典的に処理される。すなわち、リセットパルスが受信装置において形成される代わりに、ディジタル領域において計算され且つ最も近似する整数のラインの数に丸められたＦ位相差が、フレームベースまたはサブフレームベースで前述の第１のビデオ装置へと直接伝送される。
【００２５】
・第１のビデオ装置においては、Ｆ位相差がタイムベースと関連して使用され、局所的にリセットパルスが形成される。このリセットパルスは、規則的な（セルフランニング、self-running）周期だけを正確な時間に１回変更する。このように改善することの利点は素晴らしい。つまり、Ｆ位相差を伝送するためにどれ程の遅延が必要であるかはもはや問題ではなく、リセットパルスは常に正確な時点に生じる。
【００２６】
既に上述したように、この分野において共通することは、複合ビデオ信号に包含されているイメージ情報は一連のイメージから形成されており、各イメージが複数のラインを包含していることである。この場合有利には、第１のタイプ（Ｖ位相）の制御情報はラインの数を表し、このラインの数だけ第１のビデオ装置から受信した複合ビデオ信号が第２のビデオ装置のタイムベースに関して位相シフトされる。殊に、１イメージあたりのラインの数が６２５である場合には、第１のタイプの制御情報は、１つのラインの分解能を有する２つのビデオ信号間の考えられる全ての位相差を表せるようになるために、少なくとも１０ビットの２進ワードでなければならない。
【００２７】
従来のアナログビデオ信号が第１のビデオ装置から第２のビデオ装置へと直接伝送される場合、両装置が動作中であり且つこれらの２つの装置間の伝送線が変更されていなければ、両装置間の伝送遅延は通常は一定である。
（例えばディジタル無線伝送において）ディジタル圧縮が伝送前に必要である場合、両装置間においてはパケット指向の伝送が使用され、例えばイメージデータの第１のピクセルの形成と、第１のビデオ装置において相応の圧縮フィールドの開始を識別するパケットのヘッダとの間の遅延時間が変化する可能性がある。したがって「本来の」ビデオ信号の同期パルスはデータストリーム中に存在しないか、もはや第１のビデオ装置のピクセル周波数を制御するための信頼に足る基礎ではない。このことは多くの理由に起因する。すなわち、伝送クロックは一般的にビデオ形成クロックとは非同期であり、圧縮時間は画像内容に基づいて変化する可能性があり、圧縮されたビデオのデータレートを伝送媒体のデータレートに正確に適合させるために必要とされるスタッフィングメカニズムによって予測不可能な遅延が発生してしまう。
【００２８】
このような圧縮ビデオ伝送システムのための別の重要な特徴は、圧縮エンジン及び伸張エンジンのピクセルクロック周波数が等しいことである。このことは、ＦＩＦＯオーバラン状態を阻止するための必須条件である。基本的に古典的なＭＰＥＧブロードキャストチェーンでは、伸張エンジンのためのピクセルクロックの回復が、受信側において（第１の）ＰＬＬ原理を使用して行われる。しかしこれでは、第１のビデオ装置をミキサピクセルクロックで同期するのに十分ではない可能性がある。ここで第２のＰＬＬを組み込み、圧縮エンジンのピクセルクロックとミキサのピクセルクロックとが等しい周波数であることも保証する必要がある。２つのＰＬＬを組み込むことは、安定性及びジッタのため実に手間がかかる。このことは技術者に周知である。本発明により、２つのＰＬＬを組み込む必要がない解決手段が得られる。
【００２９】
また、ピクセル周波数制御とＨ位相とをリンクするという基本的な前提も必要なくなる。ビデオ同期パルスを処理する全ての同期システムでは、Ｈ位相が補正されるまでＨ位相ＰＬＬがピクセル周波数を変更する。このことは、Ｈ位相がピクセル周波数の積分であるという事実による。したがって、特性が非常に緩慢になる可能性がある。本発明では、ピクセル周波数制御及び（Ｈ及びＶ）位相制御が２つの別個のプロセスに分割されるので、ロック時間が格段に短縮される。
【００３０】
したがって、「本来の」ビデオ信号が一連のデータパケットとしてのデジタルの形態で伝送される前に圧縮される場合、有利には、第２のビデオ装置によって必要とされる同期情報が、第１のビデオ装置のタイムベースから導出され、またデータが包含されているパケットの送信時におけるタイムベース状態を表すデータパケットのうち少なくとも幾つかに含まれている送信時間データを有し、これらの送信時間データそれぞれが第２のビデオ装置による受信に基づいて、第２のビデオ装置のタイムベースから同様に導出された受信時間データと比較され、第２のビデオ装置のピクセル周波数を制御するための周波数誤り情報が、前述の送信時間データと受信時間データとの間の差から計算される。
【００３１】
殊に第１のビデオ装置は、この第１のビデオ装置のタイムベースから導出されたピクセル周波数に基づいて動作する第１のカウンタを有し、第２のビデオ装置は、この第２のビデオ装置のタイムベースから導出されたピクセル周波数に基づいて動作する第２のカウンタを有する。第１のカウンタのカウント値は送信時間データとしてデータパケットに包含されており、第２のビデオ装置による受信に基づく受信時間データである第２のカウンタのカウンタ値と比較される。
【００３２】
第１のビデオ装置または第２のビデオ装置がスイッチオンされるとき、これら２つのカウンタのカウンタ値の間の差は任意の値をとることができる。この差が所定の閾値を超える場合には、第２のカウンタは第１のカウンタから受け取った値に１回だけセットされる。次のカウント値を第１のビデオ装置から受け取った場合には、２つの装置のピクセル周波数が等しくなるよう、この値は第２のカウンタのカウント値と等しくなければならない。２つのカウント値の間の０になることはない差は、２つのピクセル周波数の差を示しており、第１のビデオ装置のピクセル周波数を制御することによって０にされなければならない。
【００３３】
本発明による第１のビデオ装置は、ビデオ信号を出力するための出力ポートと、制御情報を入力するための入力ポートと、タイムベースとを有する。このタイムベースは、前述の出力ポートにおいて出力されるビデオ信号の位相を、前述の第１のタイプの制御情報によって規定された位相角だけ変えるように適合されている。有利には第１のビデオ装置のタイムベースは、さらに前述のビデオ信号のピクセル周波数を前述の第２のタイプの制御情報にしたがってセットするために適合されている。
【００３４】
本発明による第２のビデオ装置は、ビデオ信号を入力するための入力ポートと、入力ビデオ信号とこの第２のビデオ装置のタイムベースとの間の位相角を求める手段と、この位相角を量的に規定する制御情報を出力するための出力ポートとを有する。
【００３５】
有利には第１のビデオ装置は、ビデオ信号を処理する圧縮エンジンからの圧縮データストリームを出力するための出力ポートと、Ｖ制御情報を入力するための入力ポートと、タイムベースとを有する。このタイムベースはビデオ信号の位相、したがってこの出力ポートにおいて出力される圧縮データストリームの位相を、前述の第１のタイプの制御情報によって規定された位相角だけ変えるために適合されている。また第１装置のタイムベースはさらに、前述の第２のタイプの周波数制御情報に応じてこのビデオ信号のピクセル周波数をセットするために適合されている。
【００３６】
有利には第２のビデオ装置は、第１のビデオ装置によって供給された圧縮データストリームを入力するための入力ポートと、ミキサによって必要とされるビデオタイミングを表す基準入力（ピクセル周波数、Ｈ位相及びＶ位相）と、ピクセルクロックをこの基準入力から得て、圧縮データストリームからビデオ信号を再構築する伸張エンジンと、基準ピクセル周波数と圧縮エンジンピクセル周波数との間の周波数誤り、並びに出力ビデオ信号とこの第２のビデオ装置の基準Ｈ信号及び基準Ｖ信号との間の位相角を求める手段と、この周波数誤り及びＶ位相角を量的に規定する制御情報を出力するための出力ポートとを有する。
【００３７】
本発明のさらなる特徴及び利点は、付属の図面を参照し、本発明の実施形態の以下の説明から明らかになる。
【実施例】
【００３８】
図１において第１のビデオ装置はカメラ１であり、第２のビデオ装置は受信部（一般的にベースステーションまたはカメラ制御ユニット（Ｃａｍｅｒａ  Ｃｏｎｔｒｏｌ  Ｕｎｉｔ））２であり、この受信部はアナログ複合ビデオ信号をカメラ１から例えば同軸ケーブル、光ファイバのようなダウンリンク伝送線３を介して、またはワイヤレスのアナログ伝送システムを介して受信し、ビデオ信号をミキサ（図示せず）へと、また制御情報をカメラ１へと第２の同軸ケーブル、光ファイバであってもよいアップリンク伝送線４を介して、またはワイヤレスのアナログ伝送システムを介して送信する。図示してはいないが、ミキサは一般的に複数のカメラまたはビデオ信号の他のソースと伝送線を用いて接続するための１つ以上の入力ポートを有する。この伝送線の長さは可変であり、したがってイメージ信号ソースとＣＣＵ２との間の伝送遅延には変化が生じる。
【００３９】
カメラ１はイメージ生成チップ１１、例えば電荷結合素子（ＣＣＤ）を包含し、このイメージ生成チップ１１へとシーンから光が入射し、このイメージ生成チップ１１からイメージが所定のイメージ周波数で読み出される。イメージ生成チップ１１はロウとコラムのマトリクス状に配置された多数のピクセルを有する。ここでは簡潔にするために、多数のロウ及びコラムはカメラによって発生されるビデオ信号におけるラインの数及びライン毎のピクセルと同数であるとするが、これは必ずしも要求されるものではない。イメージ生成チップ１１からの読み出しは、タイムベース１２の電圧制御発振器１２ａからのピクセルクロック信号の制御により行われ、個々のピクセルの色及び明度を規定するデータはピクセル毎及びライン毎に複合ビデオ信号生成回路１３へと出力される。タイムベース１２はさらにカウンタ１２ｂ及び１２ｃを包含し、これらのカウンタ１２ｂ及び１２ｃはピクセルクロック信号ＰＣについての分周器として動作し、一方はカウンタ１２ｂからのイメージライン毎、他方はカウンタ１２ｃからのイメージ毎のレートでの同期パルスΦＬｃ、ΦＩｃを複合ビデオ信号生成回路１３へと供給する。
【００４０】
イメージ生成チップ１１及びタイムベース１２から受信した信号に基づき、回路１３は通常の複合ビデオ信号ＣＶＳＣを形成し、この複合ビデオ信号ＣＶＳＣにおいては各イメージラインに対応するアクティブ信号がブランクによって分離されており、１つのイメージ同期パルスがフィールドの最後のアクティブラインと後続のフィールドの最初のアクティブラインとの間に挿入され、ライン同期パルスがイメージのアクティブライン間のブランクに挿入される。通常、複合ビデオ信号においては各イメージは２つの連続するインターレースフィールドとして伝送され、これら２つのフィールドの一方は奇数番号のラインを包含し、他方は偶数番号のラインを包含する。第３のタイプの同期パルスがイメージの２つのフィールド間のブランクに挿入される。しかしながらこの第３のタイプは本発明には全く関係が無いのでここでは検討しない。本発明はインターレースビデオ信号また同様に非インターレースビデオ信号に適用することができる。
【００４１】
ＣＣＵ２は固有のタイムベース２１を包含し、このタイムベース２１はピクセルクロック信号ＰＣＭ及びライン同期パルス信号ΦＬＭ及びイメージ同期パルス信号ΦＩＭをカメラ１のタイムベース１２が供給するのと全く同様にして供給する。このタイムベースはフリーランニング（free running）であっても良く、もしくはＣＣＵのタイムベースはミキサからの基準信号（いわゆるブラック・アンド・バースト信号）に基づきロックされることはより適切である。したがってミキサのタイムベースは時間基準を供給し、この時間基準についてＣＣＵ及びカメラまたはミキサと接続される他のイメージソースの全てのタイムベースの操作はミキサの各入力ポートにおいて、複合ビデオ信号における個々のイメージの開始が正確に調節され、異なる入力ポート間の切り替えが可能となるように同期されていなければならない。
【００４２】
そのような同期を達成するために、同期抽出回路２２がミキサ２の入力ポートと接続されている。抽出回路２２からのライン同期信号ΦＬＣ及びタイムベース２１からのライン同期信号ΦＬＭは位相比較器２３へと供給される。２つのライン同期信号間の位相差を表す位相比較器２３の出力信号ΔΦＬはサンプリング及び変換回路２４へと供給される。サンプリング及び変換回路２４は位相比較器２３からの位相誤り信号を規則的な周期、例えばライン周波数またはその整数分の一の周波数でサンプリングし、Ｈ位相遅延を表すディジタルデータを変調回路２５へと供給する。
【００４３】
タイムベース２１からのイメージ同期パルスΦＩＭ及び同期抽出回路からのイメージ同期パルスΦＩＣはＶ遅延測定回路２６へと供給される。このＶ遅延測定回路２６は位相比較器２３と類似した構造を持つ位相比較器でよいが、このＶ遅延測定回路２６はライン同期パルス間の位相差を測定するのではなく、イメージ同期パルス間の位相差を測定する。Ｖ遅延測定回路２６はイメージ同期信号のうちの１つ、例えば同期抽出回路２２からの信号が結合されるトリガ入力と、タイムベース２１からの別のイメージ同期信号が結合される停止入力と、同期抽出回路２２またはタイムベース２１からのライン同期信号が結合されるパルスカウント入力とを有するカウンタであって良い。そのようなカウンタはトリガ入力においてイメージの開始を示すパルスを受信すると、ライン同期信号のパルスによって識別されたイメージラインのカウントを開始し、停止入力においてパルスを受信するとカウントを停止する。したがって、そのようにして得られたカウント値ΔΦＩはラインの数を表し、この数だけカメラ１からのビデオ信号はミキサのローカルビデオ信号より先行する。このカウンタ値は変調回路２５にも供給される。変調回路２５は変換回路２４及び測定回路２６から供給される制御情報をアップリンク伝送線４における伝送に適したフォーマットで伝送し、また適時に何時でも伝送する。
【００４４】
カメラ１ではディジタル復調回路１４が変調回路２５から送信された制御情報を受信し、変換回路２４によって取得された位相差値ΔΦＬをディジタルループフィルタ１５へと供給する。この入力に基づきループフィルタ１５はＤＡＣ１７を介して電圧制御発振器１２ａに供給される制御電圧を計算する。別の形態の実現では、ダイレクト・ディジタル・シンセサイザ及びフリーランニングクロック発生器を使用することができ、この場合にはループフィルタのディジタル出力はディジタル・アナログ変換を行うことなくＤＤＳ制御部へと供給される。制御電圧はタイムベース１２の発振器１２ａからカウンタ１２ｂ、１２ｃへと供給されるピクセルクロックＰＣＣの周波数を規定する。したがって位相比較器２３、ループフィルタ１５及び発振器１２ａはカメラ１のピクセルクロック周波数ＰＣＣを制御するための位相同期ループを形成する。そのような位相同期ループ及びその動作は一般的に当業者には公知であるので、この位相同期ループの動作はさらに詳細には説明しない。本発明のために、位相比較器２３によって検出される位相差ΔΦＬの符号に応じて、発振器１２ａのピクセルクロック周波数はカメラ１からのビデオ信号のライン同期パルスとミキサのローカルビデオ信号とが完全に調整されたことが分かるまで増大または低減されることが実現されれば十分である。
【００４５】
復調回路１４はさらにＶ遅延測定回路２６によって取得されたカウンタ値をカメラ１のリセット回路１８へと供給する。リセット回路１８はカウンタ１２ｂ及び１２ｃの目下の状態を示す信号を受信する。この状態がＶ遅延測定回路２６によって取得されたカウンタ値ｎｄと等しくなると、リセット回路１８はタイムベース１２のカウンタ１２ｂ、１２ｃ及びビデオ信号生成回路１３をライン数ｎｄの最後においてリセットし、したがってビデオ信号生成回路１３は目下のイメージ生成を中止し、新たなイメージの出力を開始する。このようにして、ビデオ信号のイメージ位相は２πｎｄ／Ｎｌ（Ｎｌはイメージにおけるラインの数である）の位相角だけ即座に先行される。ここでミキサにおけるイメージ信号間の位相差は１ラインよりも少ない位相差と同程度へと低減される。
【００４６】
イメージ位相の調節は１つのラインを多重化することにより行われるので、位相比較器２３によって求められるライン位相差には影響を及ぼさない。したがって、リセット回路１８を使用する位相切り替えによるイメージ位相の「粗い調節」と、位相同期ループを使用する細密な調節とは相互に独立している。粗い調節を実施するために、１つのイメージ周期よりも短い周期が２つのビデオ信号間のイメージ位相差を測定するため、また位相差の量に依存させるために要求され、その補正を同一または後続のイメージにおいて実施することができる。全体として、粗い調節のために要求される時間は２つのイメージ周期よりも短い。したがって、カメラ１またはＣＣＵ２がスイッチオンされたときには、複合ビデオ信号の完全な垂直同期が４０ｍｓ以内に達成される。水平同期にはループフィルタ及びＶＣＸＯの制約に依存するよりも長い時間がかかる。
【００４７】
原則として、Ｖ遅延測定回路２６は２つの複合ビデオ信号の相対的な遅延をイメージ毎に１回測定することができる。しかしながら、イメージ位相の粗い調節が一旦実施されると、Ｖ遅延測定回路の２６のカウンタ値は通常０になり、リセット回路１８を使用してイメージ位相を変える必要はもはやない。したがって、Ｖ遅延測定回路２６のカウンタ値が０である場合には、このカウンタ値のカメラ１への伝送も必要なく、アップリンク伝送線４の帯域幅を他の目的のために保持することができる。
【００４８】
図２はカメラ１及びＣＣＵ２を包含するビデオシステムのブロック図であり、このビデオシステムにおいてはイメージ情報及びイメージ同期情報を包含するビデオ信号が圧縮されて、ディジタルの形態でダウンリンク伝送線３において伝送される。ビデオ信号のディジタル伝送は相当な帯域幅を要求するので、伝送線を光ファイバとすることができるか、シングルキャリアまたはマルチキャリアのようなディジタル変調技術を使用することがき、結果のスペクトルは無線（ワイヤレス）伝送にも適したものとなる。
【００４９】
カメラ１においてイメージ生成チップ１１、タイムベース１２、復調回路１４、ループフィルタ１５、電圧制御発振器１２ａ及びＤＡＣ１７（またはＤＤＳ）及びリセット回路１８は図１と同一であるので再度は説明する必要はない。ビデオ信号生成回路１３は、イメージ生成チップ１１から受信したピクセルデータをアナログビデオ信号に変換するのではなく、イメージ情報及びイメージ同期情報を包含する一連のディジタルデータを形成し、このディジタルデータをカメラ１とダウンリンク伝送線３との間に挿入されている送信インタフェース５のデータ圧縮回路５１に供給するという点で、図１におけるビデオ信号生成回路とは異なる。データ圧縮回路５１の出力側はＦＩＦＯバッファ５２と接続されており、このＦＩＦＯバッファ５２には圧縮されたビデオデータストリームがパケット形成回路５３へと送られる前に一時的に記憶される。このパケット形成回路５３はダウンリンク伝送線３における伝送に適したフォーマットを有するパケットへとデータをグループ化する。また明瞭にするためにこのブロック図には示してはいないが、ディジタル変調回路及びＲＦアップコンバータをパケット形成回路５３の出力側と伝送媒体との間に挿入することができる。このことは無線伝送の場合に殊に当てはまる。
【００５０】
ビデオ信号生成回路１３から受信したイメージ情報の圧縮率は、これらのデータによって表されるイメージの複雑性に応じて可変である。したがって、データ圧縮回路５１の出力側におけるデータレートを変化させることができる。変調回路への一定のデータレートを供給するために３つの公知のメカニズムが使用される。いずれの圧縮エンジンも出力ビットレートを低減／増大させるための入力を有する。ここでは明瞭にするために図示していないが、これはサーボループのタスクであり、このサーボループは出力ビットレートを測定し、この測定された出力ビットレートを要求されるビットレートと比較し、所望のビットレートへとビデオを多かれ少なかれ圧縮する。しかしながらこのサーボループは一般的に短時間のオーバーランまたはアンダーランを阻止するには緩慢である。ＦＩＦＯバッファ５２はそのような変動データレートを吸収する。さらにはスタッフィングメカニズムがアンダーラン条件の発生の際に自動的に生成されるダミーパケットを生成するので、パケット形成回路５３はデータを一定のレートで変調回路に供給する。このようにして、ダウンリンク伝送線３における一定のデータレートを常に維持することができ、ダウンリンク伝送線３の伝送容量は効率的に使用される。しかしながらこのことは、送信インタフェース５がカメラ１及びミキサ２の操作時間中に変化する可能性のあるビデオ信号の伝送遅延を惹起するという問題が生じる。したがって、ビデオ信号生成回路１３からの圧縮されたイメージデータに必要に応じて包含されている同期情報に関連するビデオは、もはやＣＣＵ２におけるイメージ及び２つのビデオ信号間のイメージ位相差及びライン位相差を算出するための信頼に足る基礎ではない。
【００５１】
この問題は、ダウンリンク伝送線３において伝送されるデータパケットに予備同期情報としての付加的な時間情報（いわゆるタイムスタンプ）がパケット形成回路５３において、これらのデータパケットが送信される直前に挿入されることによって解決される。この付加的なタイムスタンプ情報はＭＰＥＧ規格においてＰＣＲと呼ばれる量と同等な類似のＰＣＲと称されるカウンタ値である。ＰＣＲは電圧制御発振器１２ａからのピクセルクロック信号のパルスをカウントするＰＣＲカウンタ５４によって供給される。ＰＣＲはミキサに送信される全てのパケットに包含されている必要はない。パケットの一部にＰＣＲが存在していれば十分である。原則として、ＰＣＲが包含されているパケットは任意且つ可変の周期で選択することができる。
【００５２】
ダウンリンク伝送線３の受信端部には、ここでもまた明瞭にするためにこのブロック図には図示していないＲＦダウンコンバータ及びディジタル復調回路を受信インタフェースの上流側に挿入することができる。このことは無線伝送の場合に殊に当てはまる。受信インタフェース６は、パケット形成回路５３の機能とは逆の機能を有するアンパック及びＰＣＲ抽出回路６１と、ＦＩＦＯバッファ６２と、圧縮回路５１の機能とは逆の機能を有する伸張回路６３とを包含する。伸張エンジンのピクセルクロックは直接的にミキサ基準信号から導出される。したがって伸張回路６３の出力では、圧縮回路５１へと入力されたデータシーケンスが再構築されている。
【００５３】
アンパック及びＰＣＲ抽出回路６１はデータパケットに包含されているディジタルビデオ信号から同様にデータパケットに包含されているＰＣＲを分離し、ＰＣＲ発生器６４及び比較器６５の第１の入力側へと供給する。ＰＣＲ発生器はタイムベース２１から供給されるピクセルクロック信号ＰＣＭのパルスをカウントする、送信側におけるＰＣＲカウンタ５４と類似するＰＣＲカウンタと、このカウンタの目下のＰＣＲを比較器６５の第２の入力側へと出力するインタフェース回路とを包含し、抽出回路６１からそれを受信するＰＣＲによってトリガされる。
【００５４】
カメラ１及び／又はＣＣＵ２がスイッチオンされた直後には、比較器６５の２つの入力側におけるＰＣＲの差は完全に任意である。この差がイメージ周期の所定のフラクションに対応する閾値を上回ると、比較器６５の出力側と接続されている初期化回路６６はＰＣＲ発生器６４のＰＣＲをカメラ１から受信したＰＣＲと等しくなるようにセットする。カメラ１及びＣＣＵ２のピクセル周波数が同一である場合にはＰＣＲは同様にランし、カメラ１がさらなるＰＣＲを送信する時には何時でも、そのＰＣＲがＰＣＲ発生器６４のＰＣＲと同一であることが予想される。２つのＰＣＲに差が存在する場合には、その差はカメラ１及びＣＣＵ２のピクセルクロック周波数の差を表す。初期化回路６６の閾値及びカメラ１からのＰＣＲを有する２つのパケット間の時間は、２つのピクセルクロック信号の予想される精度を基礎として選択され、ＰＣＲ発生器６４が一度初期化されると、比較器６５によって検出されたＰＣＲの差は通常初期化回路６６の閾値を上回らない。このＰＣＲの差はデータ圧縮回路２７に供給される。この選択的な回路は整定時間を妥協せずともビットレートをさらに低減することができる。
【００５５】
ここでの着想は定常状態におけるものであって、ＰＣＲの差はほぼ０でありまた完全な精度でもって伝送する必要があり、それに対し整定時間においてはＰＣＲの差は非常に重要となるが、高い精度は必要ない。つまり範囲０（０近辺の正または負の小さい値）に関しては、値を正確に符号化するためのビットの数は少ない。範囲１（範囲０の絶対値の２倍の絶対値）に関しては、ＰＣＲの差は２の最も近い倍数に丸められてシフトダウンされ、これにより分解能は失われるが伝送されるビットの数は保たれる。範囲２（範囲１の絶対値の２倍の絶対値）に関しては、ＰＣＲの差は４の最も近い倍数に丸められてシフトダウンされ、これによりやはり分解能は失われるが伝送されるビットの数はそれどころかさらに保たれる。この原理を所期のように繰り返すことができる。ＰＬＬは原則として閉ループシステムであるので、分解能の妥協がロック処理を変化させることはない。結果のデータ対（範囲、データ）は変調回路２５に送信され、この変調回路２５からアップリンク伝送線４を介してカメラ１へと伝送され、復調回路１４において復調され、伸張回路において（範囲、データ）対から再生成されるデータが伸張されて制御信号としてループフィルタ１５へと供給される。このようにして、カメラ１のピクセルクロック周波数ＰＣＣはミキサ２のピクセルクロック周波数ＰＣＭに等しく維持される。
【００５６】
伸張回路６３から出力される伸張イメージデータは可変遅延バッファ２８へと供給され、この可変遅延バッファ２８は０とＺＭとの間の全ての遅延並びにディジタル変調器及びディジタル復調器における純粋な遅延をも調節することができる。このＺＭは、例えばＦＩＦＯバッファ５２における圧縮データの可変の遅延によって惹起されるカメラ１とＣＣＵ２との間のデータパケットの伝送時間の変化である。可変遅延バッファ２８の機能はイメージ同期装置の機能と幾分か類似するが、イメージ同期装置とは可変遅延バッファ２８におけるデータの入出力の時間平均データレートが厳密に等しく、可変遅延バッファ２８においてはデータは破棄されないまたは２回バッファ２８から読み出されないという点で異なる。ＦＩＦＯについて説明すると、その深さは僅かなラインを記憶するには十分な大きさであり、またその書き込み及び読み出しメカニズムは以下の通りである。イメージの最初のデータの書き込みはＦＩＦＯの最初の位置において行われ、後続のデータは最初のアドレスに対して増分していくアドレスに書き込まれる。ＦＩＦＯからの最初のデータの読み出しはアクティブイメージの開始時に基準信号によって要求されると行われる。最初のデータの書き込みはこのデータを読み出す前に０からＺＭへのクロックパルスで行う必要があり、そうでなければＦＩＦＯのオーバランが生じる。つまりＦＩＦＯの遅延は計算を要せず、伸張エンジンから供給されるビデオの読み出し時間（０からＺＭ）及び基準信号に自動的に依存するものである。
【００５７】
図１と類似する遅延測定回路２６は、伸張エンジン６３からの出力ビデオ信号とミキサ（及びローカルタイムベース２１）のローカル基準信号との間のイメージ位相差を検出するために、タイムベース２１及び伸張エンジン６３の出力側と接続されている。測定されたＶ位相差は０からＺＭの付加的な遅延を考慮してオフセットされる。換言すれば、Ｖ位相測定回路はリセット後のように値の計算及びリセット回路１８への値の伝送を行い、伸張エンジン６３の出力はミキサから供給される基準信号を考慮して僅かに先行する（ＺＭ／２）。ＺＭはカメラのＣＣＤ出力から伸張エンジンへの全体の伝送経路の伝送遅延のピークピーク変動であるので、遅延素子はオーバラン状態にならず０からＺＭの遅延を付加する最高の操作条件にある。そのように測定されたＶ位相差が遅延変動ＺＭを上回る場合には、このＶ位相差は圧縮回路２９、変調回路２５、アップリンク伝送線４及び復調回路１４を介してカメラ１のリセット回路１８へと伝送される。リセット回路１８においては、この位相差が図１に関連させて説明したように、タイムベース１２及びビデオ信号生成回路１３の位相を変えるために使用される。遅延測定回路２６によって測定された位相差が±ＺＭ／２よりも小さい場合には、位相差の伝送はもはや要求されない。
【００５８】
この実施形態においても、２つのイメージ周期の最大値はカメラ１とＣＣＵ２との間の完全なＶ同期のために要求される。
【図面の簡単な説明】
【００５９】
【図１】第１のビデオ装置から第２のビデオ装置へとアナログビデオ信号が伝送される、本発明による第１及び第２のビデオ装置を包含するビデオシステムのブロック図である。
【図２】ディジタル圧縮されたデータストリームが第１のビデオ装置から第２のビデオ装置へと伝送される、第１及び第２のビデオ装置を包含するビデオシステムのブロック図である。
【符号の説明】
【００６０】
１  カメラ、  ２  ＣＣＵ、  ３  ダウンリンク伝送線、  ４  アップリンク伝送線、  ５  送信インタフェース、  ６  受信インタフェース、  １１  イメージ生成チップ、  １２  タイムベース、  １２ａ  電圧制御発振器、  １２ｂ、１２ｃ  カウンタ、  １３  ビデオ信号生成回路、  １４  ディジタル復調回路、  １５  ループフィルタ、  １７  ＤＡＣ、  １８  リセット回路、  ２１  タイムベース、  ２２  同期抽出回路、  ２３  位相比較器、  ２４  サンプリング及び変換回路、  ２５  変調回路、  ２６  遅延測定回路、  ２７  データ圧縮回路、  ２８  可変遅延バッファ、  ２９  圧縮回路、  ５１  データ圧縮回路、  ５２  ＦＩＦＯバッファ、  ５３  パケット形成回路、  ５４  ＰＣＲカウンタ、  ６１  アンパック及びＰＣＲ抽出回路、  ６２  ＦＩＦＯバッファ、  ６３  伸張回路、  ６４  ＰＣＲ発生器、  ６５  比較器
【図１】
2004343697.tif 000003
【図２】
2004343697.tif 000004